(57)【要約】  本発明は、複数の電気的なエネルギアキュムレータ装置（２０−ｉ）が、それぞれ別個の変圧器（１０−ｉ）を用いて並行して電気エネルギを車両の電気的なエネルギ供給網に供給することができる、車両のための緊急エネルギアキュムレータ（１）に関する。同様に、本発明は、車両のための電気機械式のブレーキ倍力装置、車両のためのブレーキシステムおよび／またはステアリングシステム、および車両のためのエネルギ供給システムに関する。さらに、本発明は、車両の緊急エネルギアキュムレータのための製造方法に関する。【選択図】  図１
2021526472.tif 000002
【特許請求の範囲】
【請求項１】
車両のための緊急エネルギアキュムレータ（１）であって、
複数の電気的なエネルギアキュムレータ装置（２０−ｉ）と、
それぞれ第１の接続部（１１−ｉ）および第２の接続部（１２−ｉ）を備えた複数の変圧器（１０−ｉ）と、
を有しており、
この場合、各変圧器（１０−ｉ）がそれぞれ前記第１の接続部（１１−ｉ）で前記電気的なエネルギアキュムレータ装置（２０−ｉ）とそれぞれ結合されており、
複数の前記変圧器（１０−ｉ）がそれぞれ前記第２の接続部（１２−ｉ）で互いに電気結合されている、車両のための緊急エネルギアキュムレータ（１）。
【請求項２】
複数の前記電気的なエネルギアキュムレータ装置（２０−ｉ）がそれぞれ少なくとも１つのストレージコンデンサを有している、請求項１記載の緊急エネルギアキュムレータ（１）。
【請求項３】
複数の前記変圧器（１０−ｉ）がそれぞれ１つの昇圧コンバータを有している、請求項１または２記載の緊急エネルギアキュムレータ（１）。
【請求項４】
複数の前記変圧器（１０−ｉ）が、直列接続された２つの半導体スイッチエレメント（Ｍ１−Ｍ６）を備えた１つのハーフブリッジをそれぞれ有している、請求項１から３までのいずれか１項記載の緊急エネルギアキュムレータ（１）。
【請求項５】
前記緊急エネルギアキュムレータ（１）が２つまたは３つの変圧器（１０−ｉ）を有しており、前記変圧器（１０−ｉ）のそれぞれが、Ｂ６ブリッジを備えたハーフブリッジを有している、請求項４記載の緊急エネルギアキュムレータ（１）。
【請求項６】
複数の前記変圧器（１０−ｉ）の各変圧器（１０−ｉ）が個別に制御可能および／または作動可能である、請求項１から５までのいずれか１項記載の緊急エネルギアキュムレータ（１）。
【請求項７】
車両のための電気機械式のブレーキ倍力装置において、該ブレーキ倍力装置が車両のマスタブレーキシリンダの前方に配置可能または配置されており、請求項１から６までのいずれか１項記載の緊急エネルギアキュムレータ（１）を備えている、車両のための電気機械式のブレーキ倍力装置。
【請求項８】
車両のためのブレーキシステムおよび／またはステアリングシステムにおいて、
請求項１から６までのいずれか１項記載の緊急エネルギアキュムレータ（１）および／または請求項７記載の電気機械式のブレーキ倍力装置を有している、車両のためのブレーキシステムおよび／またはステアリングシステム。
【請求項９】
車両のためのエネルギ供給システムにおいて、
車両バッテリ、および
請求項１から６までのいずれか１項記載の緊急エネルギアキュムレータ（１）を備えている、車両のためのエネルギ供給システム。
【請求項１０】
車両の緊急エネルギアキュムレータ（１）を製造するための方法において、
複数の電気的なエネルギアキュムレータ装置（２０−ｉ）および複数の変圧器（１０−ｉ）を準備するステップ（Ｓ１）と、
それぞれ１つの前記電気的なエネルギアキュムレータ装置（２０−ｉ）を前記変圧器（１０−ｉ）の第１の接続部（１１−ｉ）に電気結合するステップ（Ｓ２）と、
複数の前記変圧器（１０−ｉ）をこれらの変圧器（１０−ｉ）の第２の接続部（１２−ｉ）に電気結合するステップ（Ｓ３）と
を有する、緊急エネルギアキュムレータ（１）を製造するための方法。
【発明の詳細な説明】
【技術分野】
【０００１】
本発明は、車両のための緊急エネルギアキュムレータに関する。同様に本発明は、車両のための電気機械式のブレーキ倍力装置、車両のためのブレーキシステムおよび／またはステアリングシステム、および車両のためのエネルギ供給システムに関する。さらに本発明は、車両の緊急エネルギアキュムレータのための製造方法に関する。
【背景技術】
【０００２】
最近の自動車は、たいていは、いわゆるブレーキ倍力装置を用いて車両運転者を支援するブレーキシステムを有しているので、車両運転者はブレーキ装置を操作するためにひたすら全力を加える必要はない。さらに、車両は、電気駆動装置を用いて車両運転者を支援するいくつかの別の支援システムを有していてもよい。
【０００３】
特許文献１は、電気機械式のブレーキ倍力装置を開示する。電動機およびねじ伝動装置を用いてブレーキシステムのピストンロッドに補助力が加えられる。電動機を駆動するために、電動機に電気エネルギを供給する必要がある。
【先行技術文献】
【特許文献】
【０００４】
【特許文献１】欧州特許出願公開第２２８０８５６号明細書
【発明の概要】
【０００５】
本発明は、請求項１の特徴を有する車両のための緊急エネルギアキュムレータ、請求項７の特徴を有する車両のための電気機械式のブレーキ倍力装置、請求項８の特徴を有する車両のためのブレーキシステムおよび／またはステアリングシステム、請求項９の特徴を有する車両のためのエネルギ供給システム、並びに請求項１０の特徴を有する車両の緊急エネルギアキュムレータのための製造方法を提供する。
【発明の効果】
【０００６】
本発明は、それぞれの車両の車載電源網が故障したときでも、「緊急エネルギ」またはリザーブエネルギを車両の車両構成部品に供給するための可能性を提供する。本発明の特別な利点は、このような状況において、本発明によって、エネルギ供給のために用いられる蓄電池に故障が発生した場合でもなお、所定の緊急エネルギを車両構成部品に提供可能である、という点にある。従って本発明は、このような稀に発生する緊急事態においても、本発明が、車両によって要求された走行特性を車両構成部品の運転によって生ぜしめるかまたは支援できることを保証することによって、車両構成部品を備えた車両の快適性レベルおよび安全性レベルの向上に寄与する。これは、本発明が、車載電源網の故障時における第１のフォールバックレベルに追加して、車載電源網の故障時およびそれと同時にエネルギ供給のために使用された蓄電池に故障が発生したときに、いわゆる（強化された）第２のフォールバックレベルを提供する、と言い換えてもよい。
【０００７】
本発明のその他の利点を、以下に本発明の実施例の詳細な記述を用いて説明する。
【０００８】
一実施例では、複数の電気的なエネルギアキュムレータ装置がそれぞれ少なくとも１つのストレージコンデンサを有している。ストレージコンデンサは、例えばハイブリッドスーパーコンデンサ（Ｈｙｂｒｉｄ  Ｓｕｐｅｒ  Ｃａｐａｃｉｔｏｒ、ＨＳＣ）であってよい。特に、それぞれのエネルギアキュムレータ装置のための複数の並列および／または直列接続されたストレージコンデンサの任意の適切な配置も可能である。
【０００９】
一実施例では、複数の前記変圧器がそれぞれ１つの昇圧コンバータを有している。この場合、昇圧コンバータとして、例えば入力側に供給された直流電圧を出力側の直流電圧に変換する直流電圧コンバータが解釈されてよく、この場合、出力側の直流電圧の値が入力側に供給された直流電圧の値よりも高い。このような形式で、このような変圧器の入力部で変動する、特に低下する電圧においても、適切な、好適には一定の出力電圧が提供され得る。しかしながら使用目的に応じて、別の変圧器、例えば降圧コンバータまたは組み合わされた昇圧／降圧コンバータ（英語．Ｂｏｏｓｔ／Ｂｕｃｋ  ｃｏｎｖｅｒｔｅｒ）が使用されてもよいことは自明である。特に、例えば双方向性の直流電圧コンバータも可能である。従って、例えばエネルギアキュムレータ装置は、変圧器を用いてより高い圧力レベルに充電されてもよい。
【００１０】
一実施例では、複数の変圧器が、直列接続された２つの半導体スイッチエレメントを備えたそれぞれ１つのハーフブリッジを有している。さらに、変圧器は、別の構成エレメント、例えばインダクタ、キャパシタ等を有していてもよい。それぞれ１つのハーフブリッジを使用することによって、変圧器のための簡単かつそれに伴って安価な回路装置が実現され得る。特に、簡単な形式で、複数のハーフブリッジは複数の変圧器に組み合わせることができる。半導体スイッチエレメントは、例えばＭＯＳＦＥＴを有していてよい。しかしながらさらに、基本的に別の半導体スイッチ、例えば絶縁されたゲート接続部（ＩＧＢＴ）等を有するバイポーラトランジスタも可能である。
【００１１】
一実施例では、緊急エネルギアキュムレータが２つまたは３つの変圧器を有している。この場合、各変圧器は、Ｂ６ブリッジを備えたハーフブリッジを有していてよい。このような形式で、Ｂ６ブリッジを用いて複数の変圧器の特に簡単な配置が実現可能である。このような形式のＢ６ブリッジは、エネルギ技術の分野における標準構造群である。従って、Ｂ６ブリッジは、比較的安価な製造コストに関する多様性を提供することができる。
【００１２】
一実施例では、複数の変圧器の各変圧器が個別に制御可能および／または非作動化可能である。個別の変圧器を個別に制御並びに個別に作動させることによって、適切な電気エネルギを、それぞれの接続されたエネルギアキュムレータ装置から受け取ることができる。これによって特に、それぞれの変圧器は個別に、それぞれのエネルギアキュムレータ装置の充電状態に依存して、変圧器の出力に一定の出力電圧が提供されるように、制御され得る。さらに、例えば故障時に、単数または複数の変圧器を的確に作動停止させることが可能である。これによって、それぞれのエネルギアキュムレータ装置および／またはそれぞれの変圧器に故障が発生した場合でも、このような故障がエネルギ供給を妨げることはないことが保証され得る。
【００１３】
前記利点は、車両のマスタブレーキシリンダの前方に配置可能または配置されていてこのような緊急エネルギアキュムレータを有している、車両のための電気機械式のブレーキ倍力装置においても保証されている。
【００１４】
相応の緊急エネルギアキュムレータおよび／またはこのような形式の電気機械式のブレーキ倍力装置を備えた車両のためのブレーキシステムおよび／またはステアリングシステムも、前記利点を実現する。
【００１５】
同様に、既に上記した利点は、車両バッテリおよび相応に構成された緊急エネルギアキュムレータを備えた車両のためのエネルギ供給システムによって得られる。
【００１６】
さらに、車両の緊急エネルギアキュムレータのための対応する製造方法を実行することによっても前記利点は得られる。この製造方法は、緊急エネルギアキュムレータの実施例に従ってさらに改良可能であることを明確に指摘しておく。
【図面の簡単な説明】
【００１７】
【図１】本発明による緊急エネルギアキュムレータの実施例の概略図である。
【図２】本発明による緊急エネルギアキュムレータの実施例の原理回路図の概略図である。
【図３】車両の緊急エネルギアキュムレータの製造方法の実施例を説明するためのフローチャートである。
【発明を実施するための形態】
【００１８】
本発明のその他の特徴および利点を、以下に図面を用いて説明する。
【００１９】
図１は、本発明による緊急エネルギアキュムレータ１の実施例の概略図を示す。
【００２０】
図１に概略的に示された緊急エネルギアキュムレータ１は、車両／自動車の外側および／または内側に取り付け可能／組み込み可能である。緊急エネルギアキュムレータ１の使用可能性は所定の車両型式／自動車型式に限定されない、ということを明確に指摘しておく。
【００２１】
緊急エネルギアキュムレータ１は、複数の蓄電池２０−ｉを有している。各蓄電池２０−ｉはそれぞれ少なくとも１つの（図示していない）ストレージコンデンサを有している。蓄電池２０−ｉの少なくとも１つが複数のストレージコンデンサを有している場合、これらのストレージコンデンサは選択的に並列回路および／または直列回路として各蓄電池２０−ｉにおいて接続されていてよい。図１に示した、ちょうど４つの蓄電池２０−１乃至２０−４を備えた緊急エネルギアキュムレータ１の構成は、一例としてのみ解釈されるべきであって、本発明の限定を意味するものではない。
【００２２】
蓄電池２０−ｉのストレージコンデンサとは、特にスーパーコンデンサ（ＳｕｐｅｒＣａｐａｃｉｔｏｒ，略してＳｕｐｅｒｃａｐまたはＳＣ）のような、例えば電気化学式のコンデンサのことであると解釈されてよい。例えば少なくとも１つのハイブリッドスーパーコンデンサ（Ｈｙｂｒｉｄ  Ｓｕｐｅｒ  Ｃａｐａｃｉｔｏｒ、略してＨＳＣ）は、ストレージコンデンサとして蓄電池２０−ｉに取り付けられていてよい。従って、蓄電池２０−ｉの少なくとも１つは例えばスーパーコンデンサセルとして構成されていてよい。様々な蓄電池型式の組み合わせが同様に可能である。
【００２３】
緊急エネルギアキュムレータ１は、緊急エネルギアキュムレータ１の蓄電池２０−ｉ内に蓄えられたエネルギが、緊急エネルギアキュムレータ１を装備した車両／自動車の車載電源網が故障したときでも、「緊急エネルギ」としてなおそれぞれの車両／自動車の少なくとも１つの車両構成部品にアウトプットされ得るように、構成されている。従って、車両構成部品を車載電源網の故障にも拘わらずなお、少なくとも一時的に「緊急エネルギ」のアウトプットによってさらに運転することができ、それによって車載電源網の故障の影響が少なくとも一時的に弱められる。それによって、緊急エネルギアキュムレータ１は、それぞれの車両／自動車の快適性レベルおよび安全性レベルの向上に寄与する。例えば、車両／自動車のステアリングシステム／ステアリングおよび／またはブレーキシステムの構成部品を、緊急エネルギアキュムレータ１によってアウトプットされた「緊急エネルギ」によって、車載電源網の故障にも拘わらず、さらに運転することができ、運転者または自律制御システムは車両／自動車を、なお、比較的快適であり、比較的確実に制動および／または操縦することができる。緊急エネルギアキュムレータ１は、このような形式で、車載電源網の故障にも拘わらず車両／自動車の操縦および／または制動時に運転者または自律制御システムを支援するための第１の（強化された）フォールバックレベルを提供する。
【００２４】
図１の緊急エネルギアキュムレータ１はさらに、緊急エネルギアキュムレータ１の蓄電池２０−ｉ毎にそれぞれ１つの変圧器１０−ｉを有しており、この場合、蓄電池２０−ｉは、それぞれその（専用の）対応配設された変圧器１０−ｉに接続されている。従って緊急エネルギアキュムレータ１は、例えば蓄電池２０−ｉと同じ数の変圧器１０−ｉを有している。好適には、緊急エネルギアキュムレータ１の蓄電池２０−ｉの蓄電池総数は、緊急エネルギアキュムレータ１の変圧器１０−ｉの変圧器総数と同じである。
【００２５】
緊急エネルギアキュムレータ１の各蓄電池２０−ｉにそれぞれ１つの個々の変圧器１０−ｉが対応配設されていることに基づいて、緊急エネルギアキュムレータ１の各蓄電池２０−ｉは、緊急エネルギアキュムレータ１の別の蓄電池２０−ｉに依存することなく放電され得る。従って、まだ機能している蓄電池２０−ｉのうちの少なくとも１つが、故障した蓄電池２０−ｉに依存することなしに放電されることによって、緊急エネルギアキュムレータ１の蓄電池２０−ｉのうちの１つに発生した故障も対処され得る。従って、緊急エネルギアキュムレータ１の蓄電池２０−ｉの１つに発生した故障にも拘わらず、それぞれの車両／自動車の車載電源網の故障時においてもなおそれぞれの車両構成部品への「緊急エネルギ」のアウトプットが可能である。従って、図１の緊急エネルギアキュムレータ１は、従来のシステムに対して高められた、それぞれの車両／自動車の快適性レベルおよび安全性レベルを追加的に高めるために寄与する冗長性を有する。従って、この緊急エネルギアキュムレータ１は、車載電源網の故障時においてのみ第１の（強化された）フォールバックレベルを生ぜしめるのではなく、その蓄電池２０−ｉのうちの１つに故障が発生したときにさらに第２のフォールバックレベルを実現し、この第２のフォールバックレベルにおいて、運転者または自律制御システムはやはり、車両／自動車の操縦および／または制動時でもアウトプット可能な「緊急エネルギ」によって支援される。従って、車載電源網の故障および蓄電池２０−ｉの１つに存在する故障に基づく「二重故障状態」は、その影響が緊急エネルギアキュムレータ１の高い冗長性によって少なくとも弱められる。
【００２６】
変圧器１０−ｉは、それぞれＤＣ−ＤＣ変圧器、ＤＣ−ＤＣコンバータまたはコンバータと呼ばれてもよい。図１で分かるように、緊急エネルギアキュムレータ１の変圧器１０−ｉは、互いに並列に接続されている。従って、緊急エネルギアキュムレータ１の接点３１および３２で出力電圧Ｕ＿ｏｕｔが測定可能であり、この出力電圧Ｕ＿ｏｕｔは、並列接続された変圧器１０−ｉの接続部１２−ｉの出力電圧に相当する。特に、それぞれ並列接続されたアクティブな変圧器１０−ｉは、２つの接点３１と３２との間にそれぞれ同じまたは少なくとも概ね同じ高さの出力電圧を提供するように制御される。この場合、それぞれのアクティブな変圧器１０−ｉを個別に制御することによって、それぞれ接続された蓄電池２０−ｉの異なる充電状態においてもおよび／または変圧器１０−ｉの接続部１１−ｉにおけるそれぞれ異なる入力電圧においても、すべての変圧器１０−ｉのために、接点３１と３２との間に同じ高さの出力電圧を提供することが可能である。
【００２７】
それぞれの蓄電池２０−ｉは対応配設された変圧器１０−ｉによって個別に制御され、特に作動可能でもあるので、さらに、変圧器１０−ｉ内にまたは接続された蓄電池２０−ｉに故障が発生したときも、またそれぞれの蓄電池２０−ｉの深い放電（深い放電深度、ＤｏＤ）においても、それぞれの分岐を作動停止することができる。
【００２８】
図２は、一実施例による緊急エネルギアキュムレータ１の原理回路図を概略的に示す。３つの蓄電池２０−１，２０−２および２０−３を有するここに記載される実施例も、本発明を理解するために用いられるだけであり、本発明をこれに限定するものではない。この場合、各変圧器１０−ｉは、直列接続された２つの半導体スイッチならびに１つのインダクタより成るハーフブリッジによって形成される。第１の変圧器１０−１は、直列接続された２つの半導体スイッチＭ１およびＭ２によって形成される。２つの半導体スイッチＭ１およびＭ２が互いに接続されている第１の分岐点は、第１のインダクタＬ１を介して第１の蓄電池２０−１の接続部に接続されている。同様に、２つの半導体スイッチＭ３およびＭ４が互いに接続されている第２の分岐点は、第２のインダクタＬ２を介して第２の蓄電池２０−２の接続部に接続されている。同様に、２つの半導体スイッチＭ５およびＭ６が互いに接続されている第３の分岐点は、第３のインダクタＬ３を介して第３の蓄電池２０−３の接続部に接続されている。蓄電池２０−ｉのそれぞれ別の接続部並びにハーフブリッジの下側のスイッチエレメントＭ２，Ｍ４およびＭ６の下側の接続部は、例えば前記接点３２に相当する、出力接続部の接続エレメントに接続されている。上側の半導体スイッチＭ１，Ｍ３およびＭ５は、それぞれ分岐点に接続されていない接続部で、例えば前記接点３１に相当する、出力接続部の別の接続エレメントに接続されている。変圧器１０−ｉのスイッチエレメントＭ１乃至Ｍ６は、例えばＭＯＳＦＥＴとして構成されていてよい。出力接続部の２つの接続エレメントの間に、１つまたは複数の並列接続されたコンデンサより成るキャパシタンスＣが配置されていてよい。
【００２９】
図２に示されているように、緊急エネルギアキュムレータ１が多くとも３つの変圧器１０−ｉを有している場合、緊急エネルギアキュムレータ１は１つのＢ６ゲートドライバ（Ｂ６  Ｇａｔｅ  Ｄｒｉｖｅｒ）を有していてよく、このＢ６ゲートドライバによって変圧器１０−１乃至１０−３の多くとも６つのスイッチエレメントＭ１乃至Ｍ６が切替え可能である。これにより、緊急エネルギアキュムレータ１の製造のために、しばしば採用されているゲートドライバ部分を使用することができる。このことは、緊急エネルギアキュムレータ１の製造を簡単にし、製造コストの削減に寄与する。
【００３０】
前記緊急エネルギアキュムレータ１によって、例えばそれぞれの車両／自動車の例えばブレーキ圧上昇装置、例えばｉＢｏｏｓｔｅｒ、および／またはそれぞれの車両／自動車のブレーキ圧変換ユニット、例えばＥＳＰが、車載電源網の故障にも拘わらず、なお少なくとも一時的に運転され得る。従って、緊急エネルギアキュムレータ１は、好適にはブレーキシステムの外側および／または内側に組み込まれていてよい。ブレーキ圧上昇装置は、例えば電気機械式のブレーキ倍力装置であってよく、このブレーキ倍力装置は、出力電圧によって生ぜしめられた電気機械式のブレーキ倍力装置の運転によって、マスタブレーキシリンダ内の圧力およびマスタブレーキシリンダに接続されたホイールブレーキシリンダ内の圧力を上昇可能／上昇させるように、車両のマスタブレーキシリンダに前置可能／前置されている。図２の実施例では、緊急エネルギアキュムレータ１は、例えば３つの蓄電池２０−ｉを有している。これら３つの蓄電池２０−ｉは、車両／自動車の車載電源網の故障時においても電気機械式のブレーキ倍力装置の少なくとも一時的な運転を保証するために十分である。従って、車両／自動車は、このような状況においてもなお確実に、出力電圧Ｕ＿ｏｕｔによって制動され得る。この場合、選択的に自律制動または運転者支援制動が可能である。
【００３１】
特に、図１および図２に概略的に示された緊急エネルギアキュムレータ１は、電気機械式のブレーキ倍力装置の外側および／または内側に組み込まれていてよい。従来の電気機械式のブレーキ倍力装置は、通常は６つのＭＯＳＦＥＴをスイッチエレメントとして有している。従って、緊急エネルギアキュムレータ１が多くとも３つの変圧器１０−ｉを有している場合、電気機械式のブレーキ倍力装置は１つのＢ１２ゲートドライバ（Ｂ１２  Ｇａｔｅ  Ｄｒｉｖｅｒ）を有していてよく、このＢ１２ゲートドライバによって、緊急エネルギアキュムレータ１の多くとも６つのスイッチエレメントＭ１乃至Ｍ６並びに電気機械式のブレーキ倍力装置の緊急エネルギアキュムレータ外部の電子回路のさらに６つのスイッチエレメントが切換可能である。
【００３２】
さらに、緊急エネルギアキュムレータ１は、（場合によっては電気機械式のブレーキ倍力装置に追加して）別の１つのブレーキ圧上昇構成部品を、車両／自動車の車載電源網の故障後に、なお過渡期間運転することができる。例えば緊急エネルギアキュムレータ１は、車載電源網の故障後にステアリング／ステアリングシステムのモータ構成部品を出力電圧によって運転することができる。緊急エネルギアキュムレータ１がステアリングのためにも共に使用される場合は、蓄電池２０−ｉの数を４つの蓄電池に増やすことが可能である。従って緊急エネルギアキュムレータ１は好適には、車両のためのステアリングの外側および／または内側若しくは車両のためのブレーキおよびステアリングシステムの外側および／または内側に組み込まれてよい。同様に、車両バッテリおよび緊急エネルギアキュムレータ１を備えた車両のためのエネルギ供給システムが有利である。
【００３３】
図３は、車両の緊急エネルギアキュムレータ１のための製造方法の実施例を説明するためのフローチャートを示す。
【００３４】
以下に記載された製造方法によって、例えば前記緊急エネルギアキュムレータ１を製造することができる。しかしながらこの製造方法の実施可能性は、この緊急エネルギアキュムレータ１に限定されるものではない。
【００３５】
方法ステップＳ１で、複数の電気的な装置２０−ｉおよび複数の１０−ｉが準備される。次いで次の方法ステップＳ２で、それぞれ１つの電気的なエネルギアキュムレータ装置２０−ｉが変圧器１０−ｉの第１の接続部１１−ｉに電気結合され、方法ステップＳ３で、複数の変圧器１０−ｉが変圧器１０−ｉの第２の接続部１２−ｉに電気結合される。方法ステップＳ２およびＳ３は、任意の順序で、同時にまたは時間的に重なって実行されてよい。
【００３６】
要約すると、本発明は、車両のための緊急エネルギアキュムレータであって、複数の電気的なエネルギアキュムレータ装置がそれぞれ別個の変圧器によって並行して電気エネルギを車両の電気的なエネルギ供給網に供給することができる、緊急エネルギアキュムレータに関する。また本発明は、車両のための電気機械式のブレーキ倍力装置、車両のためのブレーキシステムおよび／またはステアリングシステムおよび車両のためのエネルギ供給システムに関する。さらに、本発明は、車両の緊急エネルギアキュムレータのための製造方法に関する。
【符号の説明】
【００３７】
１  緊急エネルギアキュムレータ
１０−ｉ  変圧器
１０−１  第１の変圧器
１０−２  第２の変圧器
１０−３  第３の変圧器
１１−ｉ  第１の接続部
１２−ｉ  第２の接続部
２０−ｉ  蓄電池、電気的なエネルギアキュムレータ装置
２０−１  第１の蓄電池
２０−２  第２の蓄電池
２０−３  第３の蓄電池
３１，３２  接点、
Ｌ１  第１のインダクタ
Ｌ２  第２のインダクタ
Ｌ３  第３のインダクタ
Ｍ−１，Ｍ−２，Ｍ―３，Ｍ−４，Ｍ−５，Ｍ−６  半導体スイッチ、半導体スイッチエレメント
Ｓ１，Ｓ２，Ｓ３  方法ステップ
Ｕ＿ｏｕｔ  出力電圧
【図１】
2021526472.tif 000003
【図２】
2021526472.tif 000004
【図３】
2021526472.tif 000005
【国際調査報告】
2021526472.tif 000006
2021526472.tif 000007
2021526472.tif 000008
2021526472.tif 000009
2021526472.tif 000010